(57)【要約】【課題】本発明は、使用方法によって操作キーのキー配列が変更される電子機器において、そのときに使用されているキー配列がユーザにとって認識しやすいように通知できる電子機器を提供する。【解決手段】複数の操作キーを備えた電子機器であって、電子機器の設置状態を検出する検出手段（Ｓ１０３）と、電子機器の設置状態に基づいて、複数の操作キーにキー配列を設定する設定手段（Ｓ１０７、Ｓ１１３、Ｓ１１７）と、設定されたキー配列に基づいて、複数の操作キーの点灯を制御する点灯制御手段（Ｓ１０９、Ｓ１１５、Ｓ１１９）と、を備えた。【選択図】  図４
2010141524.tif 000002
【特許請求の範囲】
【請求項１】
複数の操作キーを備えた電子機器であって、
前記電子機器の設置状態を検出する検出手段と、
前記検出手段により検出された前記電子機器の設置状態に基づいて、前記複数の操作キーにキー配列を設定する設定手段と、
前記設定手段により設定されたキー配列に基づいて、前記複数の操作キーの点灯を制御する点灯制御手段と、
を備えたことを特徴とする電子機器。
【請求項２】
前記電子機器が、前記複数の操作キーが外部に露出しない第１の状態、及び前記複数の操作キーが外部に露出する第２の状態に遷移するとともに、
前記検出手段は、前記電子機器が前記第１の状態から前記第２の状態に遷移したことに基づいて、前記電子機器の設置状態を検出することを特徴とする請求項１記載の電子機器。
【請求項３】
前記設定手段は、前記検出手段により横向き設置状態であると判断された場合、前記複数の操作キーにＱＷＥＲＴＹ配列のキー配列を設定し、
前記点灯制御手段は、前記設定手段により前記複数の操作キーにＱＷＥＲＴＹ配列のキー配列が設定された場合、ＱＷＥＲＴＹ配列により使用される操作キーを点灯させることを特徴とする請求項１記載の電子機器。
【請求項４】
前記設定手段は、前記検出手段により右利き用縦向き設置状態であると判断された場合、前記複数の操作キーに右利き用テンキー配列のキー配列を設定し、前記検出手段により左利き用縦向き設置状態であると判断された場合、前記複数の操作キーに左利き用テンキー配列のキー配列を設定し、
前記点灯制御手段は、前記設定手段により前記複数の操作キーに右利き用テンキー配列または左利き用テンキー配列のキー配列が設定された場合、それらの配列により使用される操作キーを点灯させることを特徴とする請求項１記載の電子機器。
【請求項５】
データを表示する表示手段を備え、
前記検出手段は、前記表示手段による表示方向に基づいて、前記電子機器の設置状態を検出することを特徴とする請求項１記載の電子機器。
【請求項６】
前記点灯制御手段は、前記設定手段により設定されたキー配列に基づいて、各々の操作キーにそれぞれ対応する文字列が映し出されるように点灯させることを特徴とする請求項１記載の電子機器。
【請求項７】
前記設定手段により設定され得るキー配列に対して、それぞれ色を対応付ける対応付け手段を備え、
前記点灯制御手段は、前記複数の操作キーを点灯する際に、前記対応付け手段により、前記設定手段により設定されたキー配列に対して対応付けられた色で点灯させることを特徴とする請求項１記載の電子機器。
【発明の詳細な説明】
【技術分野】
【０００１】
本発明は、多数の操作キーを備え、電子機器の設置状態に応じて使用可能な操作キーが変更されるとともに、使用可能な操作キーを点灯させて使用可能である旨をユーザに通知することができる電子機器に関する。
【背景技術】
【０００２】
近年、ユーザが既存のキー配列からそれぞれ好みのキー配列に変更できる電子機器が開発されている。しかしながら、キー配列の変更は容易に行えても、変更されたキーを表示させることはできないため、どのキーにどのような機能が割り当てられているかがユーザにとって不明瞭となり、ユーザの操作性が低下してしまうという問題があった。
【０００３】
そこで、キーが任意に変更された際にキー配列がすぐに表示されるとともに、数字、かな、英字等の各入力状態に応じた文字情報が表示される携帯電話機が提案されている（特許文献１参照）。この携帯電話機は、キー変更機能を備える構成において、予めプリセットされている複数のキーレイアウトの中から任意のキーレイアウトを選択し、その選択したキーレイアウトとなるようにキー全体を入れ替え、変更対象となるキーを選択した後、その変更対象となるキーと入れ替わる変更候補となるキーを選択し、互いのキーを入れ替えるものである。
【特許文献１】特開２００３−１５２８５３号公報
【発明の開示】
【発明が解決しようとする課題】
【０００４】
特に、ＱＷＥＲＴＹキーを備えた横スライド構造の携帯電話機等の電子機器においては、通常、携帯電話機が横にされて両手で使用されるときには操作キーがＱＷＥＲＴＹ配列で使用され、携帯電話機が縦にされて片手で使用されるときには、操作キーがテンキー配列で使用される。このように使用方法によってキー配列が変更される電子機器において、そのときに使用されているキー配列がユーザにとって認識しやすいように通知できることが望ましい。
【０００５】
本発明は、上記課題を鑑みてなされてものであり、使用方法によって操作キーのキー配列が変更される電子機器において、そのときに使用されているキー配列がユーザにとって認識しやすいように通知できる電子機器を提供することを目的とする。
【課題を解決するための手段】
【０００６】
上記課題を解決するために、本発明に係る電子機器は、複数の操作キーを備えた電子機器であって、前記電子機器の設置状態を検出する検出手段と、前記検出手段により検出された前記電子機器の設置状態に基づいて、前記複数の操作キーにキー配列を設定する設定手段と、前記設定手段により設定されたキー配列に基づいて、前記複数の操作キーの点灯を制御する点灯制御手段と、を備えたことを特徴とする。
【発明の効果】
【０００７】
本発明に係る電子機器によると、使用方法によって操作キーのキー配列が変更される電子機器において、そのときに使用されているキー配列をユーザにとって認識しやすいように通知することが可能となる。
【発明を実施するための最良の形態】
【０００８】
〔第１実施形態〕
本発明に係る電子機器の実施形態について、添付図面を参照しながら説明する。本発明に係る電子機器として、複数の筐体が相互にスライド自在に結合されてなる開閉自在の携帯電話機１を例にあげて説明する。
【０００９】
図１（Ａ）は、携帯電話機１の開いた状態を示す斜視図、図１（Ｂ）は、携帯電話機１の閉じた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、所定方向（図１のＸ方向）に相互に所定長さだけスライド可能なように結合されていて、上筐体１０を下筐体１１に対してスライドさせることにより、閉じた状態から開いた状態に、あるいは開いた状態から閉じた状態に変形する。
【００１０】
上筐体１０の外面（下筐体１１に対面しない側の面）には、文字や画像等からなる画面を表示するための矩形のディスプレイ１２、音声を出力するためのスピーカ１３、音声を集音するためのマイクロフォン１４が設けられている。これらのディスプレイ１２、スピーカ１３、マイクロフォン１４は、携帯電話機１が閉じた状態であっても開いた状態であっても外部に露出するように設けられている。よって、携帯電話機１が閉じた状態であっても開いた状態であっても、ユーザはディスプレイ１２の画面を視認したり、携帯電話機１を用いて通話を行ったりすることができる。
【００１１】
下筐体１１の内面（上筐体１０に対面する側の面）には、ユーザが押下することにより指示を入力するための複数の操作キー１５が設けられている。これらの操作キー１５は、携帯電話機１が閉じた状態のときには、上筐体１０により覆われていて外部に露出していないが、上筐体１０を下筐体１１に対してスライドさせて開いた状態に変形させたときには、外部に露出される。よって、携帯電話機１が開いた状態のときには、ユーザは操作キー１５を介して指示を入力することができるが、携帯電話機１が閉じた状態のときには、ユーザは操作キー１５を介して指示を入力することができない。
【００１２】
図２は、携帯電話機１を示す機能ブロック図である。携帯電話機１は、図２に示すように、主制御部２０、電源回路部２１、操作入力制御部２２、表示制御部２３、音声制御部２４、通信制御部２５、記憶部２６、開閉検出部２７、及び状態監視部２８がバスによって相互に通信可能に接続されて構成されている。
【００１３】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、様々な演算処理や制御処理等を行う。電源回路部２１はバッテリ等の電源供給源を具備し、ユーザによる操作キー１５を介した入力に基づいて電源のオン／オフ状態を切り替え、電源がオン状態の場合に電力供給源から各部に対して電力を供給して、携帯電話機１を動作可能にする。
【００１４】
操作入力制御部２２は操作キー１５に対する入力インタフェースを備え、ユーザによりいずれかの操作キー１５が押下されたことを検出すると、その押下された操作キー１５を示す信号を生成して、この信号を主制御部２０に伝送する。信号を受信した主制御部２０は、この信号に基づいた処理を行う。また操作入力制御部２２は、表示制御部２３や開閉検出部２７、状態監視部２８から信号を受信した際に、これらの信号に基づいて、操作キー１５の点灯を制御する操作キー点灯制御処理を行う。
【００１５】
表示制御部２３はディスプレイ１２に対する表示インタフェースを備え、主制御部２０の制御に基づいて、文書や画像等からなる画面をディスプレイ１２に表示したり、ディスプレイ１２の電源のＯＮ／ＯＦＦ状態を切り替えたりする。また表示制御部２３は、携帯電話機１の向きに基づいて、ディスプレイ１２における表示方向を制御する。例えば携帯電話機１の向きが縦向き（図１に示すＹ方向やＺ方向が鉛直方向に位置する向き）だった場合にはディスプレイ１２に縦方向の表示を行い、携帯電話機１が横向き（図１に示すＹ方向やＺ方向が水平方向に位置する向き）だった場合にはディスプレイ１２に横方向の表示を行う。
【００１６】
そして表示制御部２３は、ディスプレイ１２にデータを表示しているときに、主制御部２０や操作入力制御部２２の指示に基づいて、表示方向を示す信号を生成して、この信号を主制御部２０や操作入力制御部２２に送信する。例えば、ディスプレイ１２の長手方向（図１に示すＹ方向）が画面の上下方向に位置する場合には、縦方向に表示された状態、ディスプレイ１２の長手方向が画面の左右方向に位置する場合には、横方向に表示された状態であるものと判断される。
【００１７】
音声制御部２４は、主制御部２０の制御に基づいて、マイクロフォン１４で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１３から音声として出力する。
【００１８】
通信制御部２５は、主制御部２０の制御に基づいて、基地局（図示せず）からアンテナ２５ａを介して受信した受信信号をスペクトラム逆拡散処理してデータを復元する。このデータは、主制御部２０の指示により、音声制御部２５に伝送されてスピーカ１３から出力されたり、表示制御部２３に伝送されてディスプレイ１２に表示されたり、または記憶部２６に記録されたりする。また通信制御部２５は、主制御部２０の制御に基づいて、マイクロフォン１４で集音された音声データや操作キー１５を介して入力されたデータや記憶部２６に記憶されたデータを取得すると、これらのデータに対してスペクトラム拡散処理を行い、基地局に対してアンテナ２５ａを介して送信する。
【００１９】
記憶部２６は、主制御部２０や操作入力制御部２２が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０や操作入力制御部２２が処理を行う際に使用されるデータを一時的に記憶するＲＡＭ（Ｒａｎｄｏｍ  Ａｃｃｅｓｓ  Ｍｅｍｏｒｙ）等から構成される。また、操作入力制御部２２が操作キー点灯制御処理を行う際の処理プログラムは、例えばＲＯＭに記憶されているものとする。
【００２０】
開閉検出部２７は、ホールＩＣ及びマグネットを具備していて、例えばホールＩＣは上筐体１０に、マグネットは下筐体１１に設けられている。これらのホールＩＣ及びマグネットは、携帯電話機１が閉じた状態のときにホールＩＣがマグネットの磁気を検出するようにそれぞれ設けられていて、開閉検出部２７は、ホールＩＣによりマグネットの磁気が検出されていることに基づいて携帯電話機１が閉じた状態にあるものと判断し、ホールＩＣによりマグネットの磁気を検出されていないことに基づいて携帯電話機１が開いた状態にあるものと判断する。なお、ホールＩＣは、磁気センサであるホール素子とその出力信号をデジタル信号に変換するＩＣが１パッケージ化された素子であり、電源端子、ＧＮＤ端子、Ｓ極検出用の出力端子、Ｎ極検出用の出力端子の４端子で構成されている。
【００２１】
そして開閉検出部２７は、携帯電話機１の閉じた状態から開いた状態への遷移が検出された場合に、開放検出信号を生成して主制御部２０や操作入力制御部２２に対して送信し、携帯電話機１の開いた状態から閉じた状態への遷移が検出された場合に、閉塞検出信号を生成して主制御部２０や操作入力制御部２２に対して送信する。
【００２２】
状態監視部２８は、加速度センサを具備していて、主制御部２０や操作入力制御部２２の制御に基づいて、この加速度センサの検出値を用いて携帯電話機１の保持状態（設置状態）を判断する。状態管理部２７は、例えば、筐体の長手方向（図１に示すＹ方向やＺ方向）が鉛直方向に位置する場合には、携帯電話機１が縦方向に保持された状態、筐体の長手方向が水平方向に位置する場合には、携帯電話機１が横方向に保持された状態であるものと判断する。さらには、状態管理部２７は、筐体の長手方向が鉛直方向にあるときには、重力方向がＹ方向であるか、Ｚ方向であるかを示す情報も保持する。そして状態管理部２７は、主制御部２０や操作入力制御部２２の制御に基づいて、携帯電話機１の状態を示す情報を生成して主制御部２０や操作入力制御部２２に対して送信する。
【００２３】
図３（Ａ）は、携帯電話機１が閉じた状態にあるときに使用される操作キー１５を示す図であり、図３（Ｂ）は、携帯電話機１が開いた状態にあるとともにユーザにより縦向きに右手で保持されたときに使用される操作キー１５を示す図であり、図３（Ｃ）は、携帯電話機１が開いた状態にあるとともにユーザにより縦向きに左手で保持されたときに使用される操作キー１５を示す図であり、図３（Ｄ）は、携帯電話機１が開いた状態にあるとともにユーザにより横向きに保持されたときに使用される操作キー１５を示す図である。
【００２４】
すなわち、図３（Ａ）に示すように、携帯電話機１が閉じた状態にあるときには、下筐体１１に設けられた操作キー１５が上筐体１０によって閉塞されているため、操作キー１５は使用されない。また、図３（Ｂ）に示すように、携帯電話機１が開いた状態であるとともにユーザにより右手で縦方向に保持された状態にある場合（図のＹ方向が重力方向として保持された場合）は、操作キー１５のうちの一部（図３（Ｂ）の文字記載部分）がテンキー配列で使用される。ユーザにより右手で保持された場合（図のＹ方向が重力方向として保持された場合）には、ユーザが利き手で操作キー１５を操作できるように正面視右側に操作キー１５が配置され、正面視左側にディスプレイ１２が配置される。
【００２５】
図３（Ｃ）に示すように、携帯電話機１が開いた状態であるとともにユーザにより左手で縦方向に保持された状態（図のＺ方向が重力方向として保持された場合）にある場合は、操作キー１５のうちの一部がテンキー配列で使用される。ユーザにより左手で保持された場合（図のＺ方向が重力方向として保持された場合）には、ユーザが左手で操作キー１５を操作できるように正面視左側に操作キー１５が配置され、正面視右側にディスプレイ１２が配置される。また、図３（Ｄ）に示すように、携帯電話機１が開いた状態であるとともにユーザにより横方向に保持された状態にある場合は、操作キー１５がＱＷＥＲＴＹ配列で使用される。
【００２６】
このように携帯電話機１は、開閉状態、及びユーザによる保持状態（設置状態）に基づいて、Ｙ方向が重力方向として保持されているか、Ｚ方向が重力方向として保持されているか、またはユーザに横向きで保持されているかを判断して、この判断結果に基づいて操作キー１５をテンキー配列に設定したりＱＷＥＲＴＹ配列に設定したりする機能を備えている。また携帯電話機１は、操作キー１５に設定されているテンキー配列、ＱＷＥＲＴＹ配列等に基づいて使用可能な操作キー１５を点灯することにより、ユーザに対して使用可能な操作キー１５を通知する操作キー点灯制御機能を備えている。
【００２７】
携帯電話機１がこの操作キー点灯制御処理を行う際の手順について、図４に示すフローチャートに基づいて説明する。なお、始めに携帯電話機１が閉じた状態であり、携帯電話機１が閉じた状態から開いた状態に遷移した場合の操作キー点灯制御処理について説明する。以下、例えば「ステップＳ１０１」を「Ｓ１０１」のように、「ステップ」の語句を省略して説明する。
【００２８】
まず操作入力制御部２２は、携帯電話機１が開かれたか否かを判断する（Ｓ１０１）。この際、操作入力制御部２２は、開閉検出部２７から開放検出信号を受信することに基づいて、携帯電話機１が開かれたものと判断する。携帯電話機１が開かれていない場合（Ｓ１０１のＮｏ）は、操作入力制御部２２はそのまま待機する。
【００２９】
携帯電話機１が開かれた場合（Ｓ１０１のＹｅｓ）は、操作入力制御部２２は、状態監視部２８から携帯電話機１の状態を示す信号を取得する（Ｓ１０３）。そして操作入力制御部２２は、ステップＳ１０３にて取得した信号に基づいて、携帯電話機１がユーザにより縦向きに保持されているか否かを判断する（Ｓ１０５）。
【００３０】
携帯電話機１が縦向きに保持されていなかった場合、すなわち横向きに保持されていた場合（Ｓ１０５のＮｏ）は、操作入力制御部２２は、操作キー１５にＱＷＥＲＴＹ配列のキー配列を設定する（Ｓ１０７）。また操作入力制御部２２は、ＱＷＥＥＲＴＹ配列により使用される操作キー１５を点灯する（Ｓ１０９）。
【００３１】
携帯電話機１が縦向きに保持されていた場合（Ｓ１０５のＹｅｓ）、操作入力制御部２２は、ステップＳ１０３にて取得した信号に基づいて、重力方向の向き（例えば図１のＹ方向が重力方向か、Ｚ方向が重力方向か）を判断する（Ｓ１１１）。
【００３２】
そして、重力方向の向きがＹ方向であると判断した場合（Ｓ１１１のＹ方向）は、操作入力制御部２２は、操作キー１５に右利き用テンキー配列のキー配列を設定する（Ｓ１１３）。また操作入力制御部２２は、右利き用テンキー配列により使用される操作キー１５を点灯する（Ｓ１１５）。
【００３３】
一方、重力方向の向きがＺ方向であると判断した場合（Ｓ１１１のＺ方向）は、操作入力制御部２２は、操作キー１５に左利き用テンキー配列のキー配列を設定する（Ｓ１１７）。また操作入力制御部２２は、左利き用テンキー配列により使用される操作キー１５を点灯する（Ｓ１１９）。
【００３４】
図５（Ａ）は、携帯電話機１が閉じた状態にあるときの操作キー１５の点灯例を示す図であり、図５（Ｂ）は、携帯電話機１が開いた状態にあるとともに縦向きで重力方向の向きがＹ方向であるとき（右手で保持されたとき）の操作キー１５の点灯例を示す図であり、図５（Ｃ）は、携帯電話機１が開いた状態にあるとともに縦向きで重力方向の向きがＺ方向であるとき（左手で保持されたとき）の操作キー１５の点灯例を示す図であり、図５（Ｄ）は、携帯電話機１が開いた状態にあるとともにユーザにより横向きに保持されたときの操作キー１５の点灯例を示す図である。
【００３５】
携帯電話機１が閉じた状態にある場合は、図５（Ａ）に示すように、操作キー１５が外部に露出していないため、いずれの操作キー１５も点灯していない。携帯電話機１が開いた状態にあるとともに縦向きで重力方向の向きがＹ方向であるとき（右手で保持されたとき）は、図５（Ｂ）に示すように、右利き用テンキー配列により使用される操作キー群１５Ａが点灯される（ステップＳ１１５に対応）。
【００３６】
携帯電話機１が開いた状態にあるとともに縦向きで重力方向の向きがＺ方向であるとき（左手で保持されたとき）は、図５（Ｃ）に示すように、左利き用テンキー配列により使用される操作キー群１５Ｂが点灯される（ステップＳ１１９に対応）。携帯電話機１が開いた状態にあるとともにユーザにより横向きに保持された場合は、図５（Ｄ）に示すように、ＱＷＥＲＴＹ配列により使用される操作キー群１５Ｃが点灯される（ステップＳ１０９に対応）。
【００３７】
なお、ステップＳ１０１にて携帯電話機１が閉じた状態から開いた状態に遷移したことを契機にしてステップＳ１０３乃至Ｓ１１９の処理を行う場合について説明したが、ステップＳ１０１にて、携帯電話機１の状態が変更されたことを契機にしてステップＳ１０３乃至Ｓ１１９の処理を行うようにしても良い。この場合には、操作入力制御部２２は、状態監視部２８から信号を受信した際に、ステップＳ１０１の“Ｙｅｓ”に進む。
【００３８】
また、ステップＳ１０３にて、操作入力制御部２２は、状態監視部２８から携帯電話機１の状態を示す信号を取得する代わりに、表示制御部２３からディスプレイ１２の表示方向を示す信号を受信するようにしても良い。例えばユーザが寝転がった状態で携帯電話機１を操作している場合などに、携帯電話機１は横方向に保持されているが、ディスプレイ１２の表示方向は縦方向であることが想定され得る。この場合には、携帯電話機１がディスプレイ１２の表示方向に基づいて操作キー１５のキー配列を設定することで、ユーザの操作性が向上する。
【００３９】
このようにして携帯電話機１は、閉じた状態から開いた状態に遷移した場合や、状態（ユーザによる保持状態）が変化した場合に、変化後の状態に基づいて操作キー１５に適当なキー配列を設定して、変化後のキー配列によって使用可能な操作キー１５を点灯する。これにより、ユーザは、携帯電話機１を操作する際、使用可能な操作キー１５を即座に視覚的に認識することができる。
【００４０】
図６（Ａ）は、携帯電話機１において操作キー１５を点灯するための導光モジュール３０、３１の構成の一例示す図、図６（Ｂ）は、各々の導光モジュール３０、３１の制御表を示す図である。図６（Ａ）に示すように、携帯電話機１は、例えば右利き用テンキー配列（図１に示すＹ方向が重力方向である場合のキー配列）で使用可能な操作キー群１５Ａを点灯するための導光モジュール３０、及び左利き用テンキー配列（図１に示すＺ方向が重力方向である場合のキー配列）で使用可能な操作キー群１５Ｂを点灯するための導光モジュール３１を備えている。なお、ＱＷＥＲＴＹ配列（図１に示すＹ方向やＺ方向が水平方向である場合のキー配列）で使用可能な操作キー群１５Ｃは、携帯電話機１に備えられた全ての操作キー１５で構成される。
【００４１】
図６（Ｂ）に示すように、導光モジュール３０、３１が１色のみに点灯する場合には、例えば、携帯電話機１が閉じた状態にある場合には、導光モジュール３０及び導光モジュール３１の双方がＯＦＦに設定され、携帯電話機１が開いた状態にあるとともにユーザにより縦向きに右手で保持された場合には、導光モジュール３０がＯＦＦに設定されて導光モジュール３１がＯＮに設定される。携帯電話機１が開いた状態にあるとともにユーザにより縦向きに左手で保持された場合には、導光モジュール３０がＯＮに設定されて導光モジュール３１がＯＦＦに設定される。携帯電話機１が開いた状態にあるとともにユーザにより横向きに保持された場合には、導光モジュール３０及び導光モジュール３１の双方がＯＮに設定される。
【００４２】
さらに、導光モジュール３０、３１が３色に点灯する場合には、例えば、携帯電話機１が閉じた状態にある場合には、導光モジュール３０及び導光モジュール３１の双方がＯＦＦに設定され、携帯電話機１が開いた状態にあるとともにユーザにより縦向きに右手で保持された場合には、導光モジュール３０がＯＦＦに設定されて導光モジュール３１が赤色でＯＮに設定される。携帯電話機１が開いた状態にあるとともにユーザにより縦向きに左手で保持された場合には、導光モジュール３０が青色でＯＮに設定されて導光モジュール３１がＯＦＦに設定される。携帯電話機１が開いた状態にあるとともにユーザにより横向きに保持された場合には、導光モジュール３０及び導光モジュール３１の双方が緑色でＯＮに設定される。
【００４３】
図７（Ａ）は、携帯電話機１において操作キー１５を点灯するための導光モジュール３２、３３、３４の構成の一例示す図、図７（Ｂ）は、各々の導光モジュール３２、３３、３４の制御表を示す図である。図７（Ａ）に示すように、携帯電話機１は、例えば右利き用テンキー配列で使用可能な操作キー群１５Ａを点灯するための導光モジュール３２、左利き用テンキー配列で使用可能な操作キー群１５Ｂを点灯するための導光モジュール３３、右利き用テンキー配列及び左利き用テンキー配列の双方で使用可能な操作キー群１５Ｄを点灯するための導光モジュール３４を備えている。なお、ＱＷＥＲＴＹ配列で使用可能な操作キー群１５Ｃは、携帯電話機１に備えられた全ての操作キー１５で構成される。
【００４４】
図７（Ｂ）に示すように、導光モジュール３２、３３、３４が１色のみに点灯する場合には、例えば、携帯電話機１が閉じた状態にある場合には、全ての導光モジュール３２、３３、３４がＯＦＦに設定され、携帯電話機１が開いた状態にあるとともにユーザにより縦向きに右手で保持された場合には、導光モジュール３２がＯＦＦに設定されて導光モジュール３３及び導光モジュール３４がＯＮに設定される。携帯電話機１が開いた状態にあるとともにユーザにより縦向きに左手で保持された場合には、導光モジュール３２及び導光モジュール３４がＯＮに設定されて導光モジュール３３がＯＦＦに設定される。携帯電話機１が開いた状態にあるとともにユーザにより横向きに保持された場合には、全ての導光モジュール３２、３３、３４がＯＮに設定される。
【００４５】
さらに、導光モジュール３２、３３、３４が３色に点灯する場合には、例えば、携帯電話機１が閉じた状態にある場合には、全ての導光モジュール３２、３３、３４がＯＦＦに設定され、携帯電話機１が開いた状態にあるとともにユーザにより縦向きに右手で保持された場合には、導光モジュール３２がＯＦＦに設定されて導光モジュール３３及び導光モジュール３４が赤色でＯＮに設定される。
【００４６】
また、携帯電話機１が開いた状態にあるとともにユーザにより縦向きに左手で保持された場合には、導光モジュール３２及び導光モジュール３４が青色でＯＮに設定されて導光モジュール３３がＯＦＦに設定される。携帯電話機１が開いた状態にあるとともにユーザにより横向きに保持された場合には、全ての導光モジュール３２、３３、３４が緑色でＯＮに設定される。
【００４７】
なお、携帯電話機１の操作キー１５は、そのときに設定されているキー配列に基づいて、対応する文字列がキートップに表示されるようにしても良い。図８は、携帯電話機１において操作キー１５を点灯するための構成を示す概略図である。各々の操作キー１５は、キートップの下に点灯板４０が備えられて構成されている。
【００４８】
図８に示すように、これらの点灯板４０は、右手用テンキー配列、左手用テンキー配列、またはＱＷＥＲＴＹ配列のうちの複数のキー配列によって使用される操作キー１５には、全ての使用可能なキー配列の文字列が刻印されている。そして、操作キー１５に設定されているキー配列に基づいて、そのときに使用可能な文字列のみが点灯されてキートップに映し出される。例えば、右利き用テンキー配列により「２」が使用されてＱＷＥＲＴＹ配列により「Ｆ」が使用される操作キー１５は、点灯板４０に「２」及び「Ｆ」が刻印されていて、操作キー１５が右利き用配列に設定されているときには、キートップに「２」の文字列のみが映し出され、操作キー１５がＱＷＥＲＴＹ配列に設定されているときには、キートップに「Ｆ」の文字列のみが映し出される。
【００４９】
図９（Ａ）は、携帯電話機１が開いた状態にあるとともにユーザにより縦向きに保持されたときの操作キー１５の点灯例を示す図であり、図９（Ｂ）は、携帯電話機１が開いた状態にあるとともにユーザにより横向きに保持されたときの操作キー１５の点灯例を示す図である。
【００５０】
携帯電話機１がユーザにより縦向きに保持されているときには、図９（Ａ）に示すように、各々の操作キー１５のキートップにそれぞれテンキー配列の文字列が映し出される。また、携帯電話機１がユーザにより横向きに保持されているときには、図９（Ｂ）に示すように、各々の操作キー１５のキートップにそれぞれＱＷＥＲＴＹ配列の文字列が映し出される。これにより、ユーザは、携帯電話機１を使用する際、操作キー１５に設定されているキー配列を即座に視覚的に認識することができる。
【００５１】
本発明に係る電子機器（携帯電話機１）によると、使用方法によって操作キー１５のキー配列が変更される電子機器において、使用可能な操作キー１５を点灯させることにより、そのときに使用されているキー配列をユーザにとって認識しやすいように通知することが可能となる。
【００５２】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等、ユーザによる保持方法に基づいてディスプレイの表示方向を切り替えることが可能で、かつ、複数の操作キーを備えている電子機器であれば、任意の電子機器であっても良い。
【図面の簡単な説明】
【００５３】
【図１】（Ａ）は、本発明に係る電子機器（携帯電話機）の開いた状態を示す斜視図、（Ｂ）は、本発明に係る電子機器（携帯電話機）の閉じた状態を示す斜視図。
【図２】本発明に係る電子機器（携帯電話機）の機能ブロック図。
【図３】（Ａ）は、本発明に係る電子機器（携帯電話機）が閉じた状態にあるときに使用される操作キーを示す図であり、（Ｂ）は、本発明に係る電子機器（携帯電話機）が開いた状態にあるとともにユーザにより縦向きに右手で保持されたときに使用される操作キーを示す図、（Ｃ）は、本発明に係る電子機器（携帯電話機）が開いた状態にあるとともにユーザにより縦向きに左手で保持されたときに使用される操作キーを示す図、（Ｄ）は、本発明に係る電子機器（携帯電話機）が開いた状態にあるとともにユーザにより横向きに保持されたときに使用される操作キーを示す図。
【図４】本発明に係る電子機器（携帯電話機）において、操作キー点灯制御処理を行う際の手順を示すフローチャート。
【図５】（Ａ）は、本発明に係る電子機器（携帯電話機）が閉じた状態にあるときの操作キーの点灯例を示す図であり、（Ｂ）は、本発明に係る電子機器（携帯電話機）が開いた状態にあるとともにユーザにより縦向きに右手で保持されたときの操作キーの点灯例を示す図、（Ｃ）は、本発明に係る電子機器（携帯電話機）が開いた状態にあるとともにユーザにより縦向きに左手で保持されたときの操作キーの点灯例を示す図、（Ｄ）は、本発明に係る電子機器（携帯電話機）が開いた状態にあるとともにユーザにより横向きに保持されたときの操作キーの点灯例を示す図。
【図６】（Ａ）は、本発明に係る電子機器（携帯電話機）において操作キーを点灯するための導光モジュールの構成の一例を示す図、（Ｂ）は、各々の導光モジュールの制御表を示す図。
【図７】（Ａ）は、本発明に係る電子機器（携帯電話機）において操作キーを点灯するための導光モジュールの構成の一例を示す図、（Ｂ）は、各々の導光モジュールの制御表を示す図。
【図８】本発明に係る電子機器（携帯電話機）において操作キーを点灯するための構成を示す概略図。
【図９】（Ａ）は、本発明に係る電子機器（携帯電話機）が開いた状態にあるとともにユーザにより縦向きに保持されたときの操作キーの点灯例を示す図、（Ｂ）は、本発明に係る電子機器（携帯電話機）が開いた状態にあるとともにユーザにより横向きに保持されたときの操作キーの点灯例を示す図。
【符号の説明】
【００５４】
１…携帯電話機，１０…上筐体，１１…下筐体，１２…ディスプレイ，１３…スピーカ，１４…マイクロフォン、１５…操作キー，１５Ａ…右利き用テンキー配列により使用可能な操作キー群，１５Ｂ…左利き用テンキー配列により使用可能な操作キー群，１５Ｃ…ＱＷＥＲＴＹ配列により使用可能な操作キー群，１５Ｄ…右利き用テンキー配列及び左利き用テンキー配列の双方により使用可能な操作キー群，２０…主制御部，２１…電源回路部，２２…操作入力制御部，２３…表示制御部，２４…音声制御部，２５…通信制御部，２５ａ…アンテナ，２６…記憶部，２７…開閉検出部，２８…状態監視部，３０乃至３４…導光モジュール，４０…点灯板。
【図１】
2010141524.tif 000003
【図２】
2010141524.tif 000004
【図３】
2010141524.tif 000005
【図４】
2010141524.tif 000006
【図５】
2010141524.tif 000007
【図６】
2010141524.tif 000008
【図７】
2010141524.tif 000009
【図８】
2010141524.tif 000010
【図９】
2010141524.tif 000011